(57)【要約】【課題】  整形外科用手術器具アセンブリを提供する。【解決手段】  整形外科用手術器具アセンブリは、ブローチ及び大腿ステムトライアルアセンブリを締め付けるように構成されたシステムハンドルを含む。本システムハンドルは両方ともシステムハンドルに枢動して結合されたクランプレバー及び解除レバーと、クランプレバー及び解除レバーを接続する板ばねとを含む。解除レバーが非締付け位置から締付け位置に移動させたとき、板ばねは、緊張状態となり、クランプレバーは、ブローチのフランジと係合して、システムハンドルにブローチを固定する。システムハンドルの組み立て方法が記載されクレームされる。【選択図】  図１
2014180564.tif 000002
【特許請求の範囲】
【請求項１】
整形外科用手術器具であって、
（ｉ）遠位端から近位端に延在する細長い本体であって、内部に画定された空洞を有する、細長い本体、及び（ｉｉ）前記近位端から延在するガイドピン、を含むハンドルと、
前記空洞から遠位端に外方に延在する第１のレバーであって、前記空洞内で前記細長い本体に枢動して結合される近位端を含む、第１のレバーと、
（ｉ）前記空洞から近位端に外方に延在するレバー本体であって、前記空洞内で前記細長い本体に枢動して結合される遠位端を有する、レバー本体、及び（ｉｉ）前記レバー本体の前記近位端から延在する留め具、を含む第２のレバーと、
前記第１のレバーの動きが前記第２のレバーの動きを引き起こすように前記第１のレバーを前記第２のレバーに接続している板ばねと、
を備え、前記第１のレバーは、（ｉ）前記第１のレバーの前記遠位端が前記細長い本体から第１の距離離間配置される非締付け位置と、（ｉｉ）前記第１のレバーの遠位端が前記細長い本体から前記第１の距離を下回る第２の距離離間配置される締付け後の位置と、の間で回動し、
（ｉ）前記第１のレバーが前記非締付け位置にあるとき、前記第２のレバーは、前記留め具が前記ガイドピンから第１の距離離間配置される第１の位置にあり、（ｉｉ）前記第１のレバーが前記締付け後の位置にあるとき、前記第２のレバーは、前記留め具が前記ガイドピンから前記第１の距離を下回る第２の距離離間配置される第２の位置にあり、
前記板ばねは、前記第１のレバーが前記第２の位置に前記第２のレバーをロックするために前記締め付け後の位置にあるときに緊張状態である、整形外科用手術器具。
【請求項２】
前記細長い本体は、第１の細長い開口部が内部に画定された第１の側壁と、第２の細長い開口部が内部に画定された第２の側壁と、を含み、
前記第１の開口部及び前記第２の開口部は、前記細長い本体内の前記空洞を画定する、請求項１に記載の整形外科用手術器具。
【請求項３】
前記第１の側壁は、中に画定される複数の第１の取り付けスロットを含み、前記取り付けスロットは、前記第１の開口部に横方向に延在し、
前記第２の側壁は、内部に画定される複数の第２の取り付けスロットを含み、前記取り付けスロットは、前記第２の開口部に横方向に延在し、
それぞれの第２の取り付けスロットは、前記第１の取り付けスロットの１つと共通の想像上の平面内に位置決めされる、請求項２に記載の整形外科用手術器具。
【請求項４】
前記第１のレバーは、前記第１の開口部を通って外方に延在し、
前記第２のレバーの前記レバー本体は、前記第２の開口部を通って外方に延在する、請求項２に記載の整形外科用手術器具。
【請求項５】
前記空洞は、前記第２の開口部に対向する内壁を含み、前記内壁及び前記第２の側壁は、傾斜角を画定し、
前記第２のレバーの前記レバー本体は、前記留め具に結合されたアーム部と、前記アーム部と前記遠位端との間に結合された肩部と、を含み、前記肩部の傾斜面は、前記内壁に対向し、前記肩部の前記傾斜面は、前記アーム部の内面に対して傾斜角を画定し、
前記第２のレバーが前記締付け後の位置にあるとき、前記第２のレバーの前記傾斜面は前記内壁と係合する、請求項４に記載の整形外科用手術器具。
【請求項６】
前記第１のレバーは、第１の接合部を介して前記細長い本体に枢動して結合され、前記第１の接合部は、前記細長い本体を通って延在する円筒形ピンと、前記第１のレバー内に画定された孔とを含み、
前記第２のレバーは、第２の接合部を介して前記細長い本体に枢動して結合され、前記第２の接合部は、前記細長い本体を通って延在する円筒形ピンと、前記第２のレバー内で画定された孔とを含む、請求項１に記載の整形外科用手術器具。
【請求項７】
前記第１のレバーは、第１の円形のスロットを含み、
前記板ばねは、前記第１の円形のスロット内で受け止められている第１の円形の先端を含み、前記第１の円形の先端は、前記第１の円形のスロット内で画定された開口部より大きい直径を有し、
前記第２のレバーは、第２の円形のスロットを含み、
前記板ばねは、前記第２の円形のスロット内で受け止められている第２の円形の先端を含み、前記第２の円形の先端は、前記第２の円形のスロット内で画定された開口部より大きい直径を有する、請求項１に記載の整形外科用手術器具。
【請求項８】
前記第１の円形のスロットは、前記板ばねの前記第１の円形の先端を受容するようにサイズ設定されたインサートを含む、請求項７に記載の整形外科用手術器具。
【請求項９】
前記第１のレバーは、
前記細長い本体に枢動して結合された第１の端部と、
握り部を含む、遠位に延在する第２の端部と、
を有するレバー本体を含み、前記第１の円形のスロットは、前記第１の端部と前記第２の端部との間で前記レバー本体内に画定される、請求項７に記載の整形外科用手術器具。
【請求項１０】
前記細長い本体は、前記細長い本体の前記近位端と前記細長い本体の前記遠位端との間に延在する縦軸線を有し、
前記第１のレバーは、前記レバーの前記近位端と前記レバーの前記遠位端との間に延在する縦軸線を有し、
前記細長い本体の前記縦軸線及び前記第１のレバーの前記縦軸線は、前記第１のレバーが前記非締付け位置にあるとき第１の角度を画定し、
前記細長い本体の前記縦軸線及び前記第１のレバーの前記縦軸線は、前記第１のレバーが前記締付け後の位置にあるとき第２の角度を画定し、
前記第２の角度の大きさは、前記第１の角度の大きさをほぼ８０°下回る、請求項１に記載の整形外科用手術器具。
【請求項１１】
整形外科用手術アセンブリであって、
（ｉ）内部に画定された複数の切歯を有するテーパ形状の外面、（ｉｉ）内部に画定された中央開口部を有する遠位面、及び（ｉｉｉ）前記中央開口部の近傍に位置決めされたフランジ、を含むブローチと、
（ｉ）前記ブローチの前記中央開口部内で受容されたガイドピン、（ｉｉ）前記ガイドピンから遠位に延在する細長い本体、（ｉｉｉ）前記細長い本体から外方に延在する第１のレバーであって、前記細長い本体に枢動して結合される近位端を含む、第１のレバー、（ｉｖ）前記細長い本体から外方に延在する第２のレバーであって、前記細長い本体に枢動して結合される遠位端を有する、第２のレバー、及び（ｖ）前記第１のレバーの動きが前記第２のレバーの動きを引き起こすように前記第１のレバーを前記第２のレバーに接続している板ばね、を含むハンドルと、を備え、
（ｉ）前記第２のレバーは、前記ブローチの前記フランジと係合された留め具を含み、（ｉｉ）前記板ばねは、締付力を前記第２のレバーに適用し、
前記第１のレバーは、（ｉ）前記留め具が前記ブローチの前記フランジと係合される締付け後の位置と、（ｉｉ）前記留め具が前記ブローチの前記フランジから離間配置される非締付け位置と、の間で移動可能である、整形外科用手術アセンブリ。
【請求項１２】
前記ハンドルの前記第１のレバーは、第１の接合部を介して前記細長い本体に枢動して結合され、前記第１の接合部は、前記細長い本体を通って延在する円筒形ピンと、前記第１のレバー内に画定された孔とを含み、
前記ハンドルの前記第２のレバーは、第２の接合部を介して前記細長い本体に枢動して結合され、前記第２の接合部は、前記細長い本体を通って延在する円筒形ピンと、前記第２のレバー内に画定された孔とを含む、請求項１１に記載の手術アセンブリ。
【請求項１３】
前記ハンドルの前記第１のレバーは、第１の円形のスロットを含み、
前記ハンドルの前記板ばねは、前記第１の円形のスロット内で受容される第１の円形の先端を含み、前記第１の円形の先端は、前記第１の円形のスロット内に画定された開口部より大きい直径を有し、
前記ハンドルの前記第２のレバーは、第２の円形のスロットを含み、
前記板ばねは、前記第２の円形のスロット内で受容される第２の円形の先端を含み、前記第２の円形の先端は、前記第２の円形のスロット内に画定された開口部より大きい直径を有する、請求項１１に記載の手術アセンブリ。
【請求項１４】
前記第１の円形のスロットは、前記板ばねの前記第１の円形の先端を受容するようにサイズ設定されたインサートを含む、請求項１３に記載の手術アセンブリ。
【請求項１５】
前記第１のレバーは、
前記細長い本体に枢動して結合された第１の端部と、
握り部を含む、遠位に延在する第２の端部と、を有するレバー本体を含み、
前記第１の円形のスロットは、前記第１の端部と前記第２の端部との間で前記レバー本体内に画定される、請求項１３に記載の手術アセンブリ。
【請求項１６】
前記ハンドルの前記細長い本体は、前記細長い本体の前記近位端と前記細長い本体の前記遠位端との間に延在する縦軸線を有し、
前記ハンドルの前記第１のレバーは、前記レバーの前記近位端と前記レバーの前記遠位端との間に延在する縦軸線を有し、
前記細長い本体の前記縦軸線及び前記第１のレバーの前記縦軸線は、前記第１のレバーが前記非締付け位置にあるとき第１の角度を画定し、
前記細長い本体の前記縦軸線及び前記第１のレバーの前記縦軸線は、前記第１のレバーが前記締付け後の位置にあるとき第２の角度を画定し、
前記第２の角度の大きさは、前記第１の角度の大きさをほぼ８０°下回る、請求項１１に記載の手術アセンブリ。
【発明の詳細な説明】
【技術分野】
【０００１】
（関連出願の相互参照）
本出願と同じ譲受人に譲渡され、本出願と同時に出願され、参照により組み入れられる「ＦＥＭＯＲＡＬ  ＳＵＲＧＩＣＡＬ  ＩＮＳＴＲＵＭＥＮＴ  ＡＮＤ  ＭＥＴＨＯＤ  ＯＦ  ＵＳＩＮＧ  ＳＡＭＥ」という名称の同時係属中の米国特許出願第ＸＸ／ＸＸＸ，ＸＸＸ号（代理人整理番号第２６５２８０−２２３２９２号、ＤＥＰ６６４１ＵＳＮＰ）を相互参照する。
【０００２】
（発明の分野）
本開示は、概して、整形外科用関節置換処置の実行に用いるための整形外科用手術器具に関し、より具体的には、膝関節置換処置に用いるための整形外科用手術器具に関する。
【背景技術】
【０００３】
関節形成術は、病変及び／又は損傷した自然関節を人口膝関節で置換する周知の手術処置である。例えば、人工膝関節全置換手術処置では、患者の自然膝関節が人工膝関節又は人工膝によって部分的又は全体的に置換される。通常の人工膝は、脛骨トレー、大腿骨構成要素、及び脛骨トレーと大腿骨構成要素との間に配置されるポリマーインサート又はベアリングを含む。脛骨トレーは、一般に、それから遠位に延在するステムを有するプレートを含み、大腿骨コンポーネントは、一般に、一対の離間配置された顆状要素を含み、これはポリマーベアリングの対応する表面と関節接合する表面を含む。脛骨トレーのステムは、患者の脛骨の手術用に準備された髄管内に埋め込まれるように構成され、大腿骨構成要素は、患者の大腿骨の手術用に準備された遠位端に連結されるように構成される。
【０００４】
補正膝手術が患者に行われることを必要とする場合が時々ある。このような補正膝手術において、予め植え込まれた人工膝が手術用に取り除かれ、置換用人工膝が植え込まれる。いくつかの補正膝手術では、例えば、脛骨トレー、大腿骨コンポーネント、及びポリマーベアリングなどを含む、以前に植え込まれた人工膝のコンポーネントの全てが、手術用に取り除かれる場合がある。他の補正膝手術では、予め植え込まれた人工膝の一部のみが取り除かれ、置換され得る。
【０００５】
補正膝手術中、整形外科医は、典型的には、人工膝を受容する患者の骨を調製するために、例えば、切断ブロック、手術リーマー、ドリルガイド、人工装具トライアル、及び他の手術器具等の様々な異なる整形外科用手術器具を使用する。
【発明の概要】
【課題を解決するための手段】
【０００６】
本開示の一態様によれば、整形外科用手術器具は、ハンドルと、第１のレバーと、第２のレバーと、板ばねと、を含む。ハンドルは、近位端から遠位端に延在する細長い本体と、遠位端から延在するガイドピンと、を含む。細長い本体は、空洞が中に画定される。第１のレバーは、空洞から遠位端に外方に延在し、第１のレバーは、空洞内で細長い本体に枢動して結合される近位端を含む。第２のレバーは、空洞から近位端に外方に延在するレバー本体を含み、レバー本体は、空洞内で細長い本体に枢動して結合される遠位端と、レバー本体の近位端から延在する留め具と、を有する。板ばねは、第１のレバーの動きが第２のレバーの動きを引き起こすように第１のレバーを第２のレバーに接続する。第１のレバーは、第１のレバーの遠位端が細長い本体から第１の距離離間配置される非締付け位置と、第１のレバーの遠位端が細長い本体から第１の距離を下回る第２の距離離間配置される締め付け後の位置と、の間で回動する。第１のレバーが非締付け位置にあるとき、第２のレバーは、留め具がガイドピンから第１の距離離間配置される第１の位置にある。第１のレバーが締付け後の位置にあるとき、第２のレバーは、留め具がガイドピンから第１の距離を下回る第２の距離離間配置される第２の位置にある。板ばねは、第１のレバーが第２の位置に第２のレバーをロックするために締め付け後の位置にあるときに緊張状態である。
【０００７】
いくつかの実施形態において、細長い本体は、第１の細長い開口部が中に画定された第１の側壁と、第２の細長い開口部が中に画定された第２の側壁とを含むことができる。第１の開口部及び第２の開口部は、細長い本体内の空洞を画定することができる。更に、いくつかの実施形態において、第１の側壁は、中に画定された複数の第１の取り付けスロットを含むことができ、第２の側壁は、中に画定され複数の第２の取り付けスロットを含むことができる。第１の取り付けスロットは、第１の開口部に横方向に延在することができ、第２の取り付けスロットは、第２の開口部に横方向に延在することができる。それぞれの第２の取り付けスロットは、第１の取り付けスロットの１つと共通の想像上の平面内に位置決めすることができる。
【０００８】
更に、いくつかの実施形態において、第１のレバーは、第１の開口部を通って外方に延在することができ、第２のレバーのレバー本体は、第２の開口部を通って外方に延在することができる。いくつかの実施形態において、空洞は、第２の開口部に対向する内壁を含むことができる。内壁及び第２の側壁は、傾斜角を画定することができる。第２のレバーのレバー本体は、留め具に結合されたアーム部と、アーム部と遠位端との間に結合された肩部と、を含むことができる。肩部の傾斜面は、内壁に対向することができ、肩部の傾斜面は、アーム部の内面に対して傾斜角を画定することができる。第２のレバーが締付け後の位置にあるとき、第２のレバーの傾斜面は、内壁と係合することができる。
【０００９】
更に、又は、あるいは、いくつかの実施形態において、第１のレバーは、第１の接合部を介して細長い本体に枢動して結合することができ、第１の接合部は、細長い本体を通って延在する円筒形ピンと第１のレバー内に画定された孔とを含む。第２のレバーは、第２の接合部を介して細長い本体に枢動して結合することができ、第２の接合部は、細長い本体を通って延在する円筒形ピンと、第２のレバー内に画定された孔と、を含む。
【００１０】
いくつかの実施形態において、第１のレバーは、第１の円形のスロットを含むことができ、板ばねは、第１の円形のスロット内で受容される第１の円形の先端を含むことができ、第１の円形の先端は、第１の円形のスロット内に画定された開口部より大きい直径を有する。第２のレバーは、第２の円形のスロットを含むことができ、板ばねは、第２の円形のスロット内で受容される第２の円形の先端を含むことができ、第２の円形の先端は、第２の円形のスロット内に画定された開口部より大きい直径を有する。いくつかの実施形態において、第１の円形のスロットは、板ばねの第１の円形の先端を受容するようにサイズ設定されたインサートを含むことができる。更に、いくつかの実施形態において、第１のレバーは、レバー本体を含むことができる。レバー本体は、細長い本体に枢動して結合された第１の端部と、握り部を含み遠位に延在する第２の端部と、を含むことができる。第１の円形のスロットは、第１の端部と第２の端部との間でレバー本体内に画定することができる。
【００１１】
いくつかの実施形態において、細長い本体は、細長い本体の近位端と細長い本体の遠位端との間に延在する縦軸線を有することができ、第１のレバーは、レバーの近位端とレバーの遠位端との間に延在する縦軸線を有することができる。細長い本体の縦軸線及び第１のレバーの縦軸線は、第１のレバーが締付け前の位置にあるとき第１の角度を画定することができ、細長い本体の縦軸線及び第１のレバーの縦軸線は、第１のレバーが締め付け後の位置にあるとき第２の角度を画定することができる。第２の角度の大きさは、第１の角度の大きさをほぼ８０°下回ることができる。
【００１２】
別の態様によれば、整形外科用手術アセンブリは、ブローチと、ハンドルとを含むことができる。ブローチは、複数の切歯を有するテーパ形状の外面と、中央開口部が中に画定された遠位面と、中央開口部の近傍に位置決めされたフランジと、を含むことができる。ハンドルは、ブローチの中央開口部内で受容されたガイドピンと、ガイドピンから遠位に延在する細長い本体と、細長い本体から外方に延在する第１のレバーであって、細長い本体に枢動して結合される近位端を含む第１のレバーと、細長い本体から外方に延在する第２のレバーであって、細長い本体に枢動して結合される遠位端を有する第２のレバーと、第１のレバーの動きが第２のレバーの動きを引き起こすように第１のレバーを第２のレバーに接続する板ばねと、を含むことができる。第２のレバーは、ブローチのフランジと係合された留め具を含み、板ばねは、締付け力を第２のレバーに適応する。第１のレバーは、留め具がブローチのフランジと係合される締め付け後の位置と、留め具がブローチのフランジから離間配置される非締付け位置と、の間で移動可能である。
【００１３】
いくつかの実施形態において、ハンドルの第１のレバーは、第１の接合部を介して細長い本体に枢動して結合することができ、第１の接合部は、細長い本体を通って延在する円筒形ピンと、第１のレバー内に画定された孔と、を含む。ハンドルの第２のレバーは、第２の接合部を介して細長い本体に枢動して結合することができ、第２の接合部は、細長い本体を通って延在する円筒形ピンと、第２のレバー内に画定された孔と、を含む。
【００１４】
いくつかの実施形態において、ハンドルの第１のレバーは、第１の円形のスロットを含むことができ、ハンドルの板ばねは、第１の円形のスロット内で受容される第１の円形の先端を含むことができ、第１の円形の先端は、第１の円形のスロット内に画定された開口部より大きい直径を有する。ハンドルの第２のレバーは、第２の円形のスロットを含むことができ、板ばねは、第２の円形のスロット内で受容される第２の円形の先端を含むことができ、第２の円形の先端は、第２の円形のスロット内に画定された開口部より大きい直径を有する。いくつかの実施形態において、第１の円形のスロットは、板ばねの第１の円形の先端を受容するようにサイズ設定されたインサートを含むことができる。
【００１５】
いくつかの実施形態において、第１のレバーは、レバー本体を含むことができる。レバー本体は、細長い本体に枢動して結合された第１の端部と、握り部を含み遠位に延在する第２の端部とを含むことができる。第１の円形のスロットは、第１の端部と第２の端部との間でレバー本体内に画定することができる。
【００１６】
いくつかの実施形態において、ハンドルの細長い本体は、細長い本体の近位端と細長い本体の遠位端との間に延在する縦軸線を有することができ、ハンドルの第１のレバーは、レバーの近位端とレバーの遠位端との間に延在する縦軸線を有することができる。細長い本体の縦軸線及び第１のレバーの縦軸線は、第１のレバーが非締付け位置にあるとき第１の角度を画定することができ、細長い本体の縦軸線及び第１のレバーの縦軸線は、第１のレバーが締め付け後の位置にあるとき第２の角度を画定することができる。第２の角度の大きさは、第１の角度の大きさをほぼ８０°下回ることができる。
【００１７】
別の態様によれば、整形外科用手術器具を組み立てる方法は、第１のレバーをハンドルの第１のシェルに取り付けることと、第２のレバーをハンドルの第１のシェルに取り付けることと、板ばねの第１の先端を第１のレバーのスロットに挿入することと、板ばねの第２の先端を第２のレバーのスロットに挿入することと、ハンドルを形成するために第２のシェルを第１のシェルに固定することと、を含む。第１のレバーは、第１の開口部を通ってハンドルから外方に延在し、第２のレバーは、第１の開口部の反対側で、第２の開口部を通ってハンドルから外方に延在する。
【００１８】
いくつかの実施形態において、第１のレバーを取り付けることは、第１の先端を第１のレバーのスロットに挿入した後に、及び、第２の先端を第２のレバーのスロットに挿入した後に、第１のレバーを取り付けることを含むことができる。第２のレバーを取り付けることは、第１の先端を第１のレバーのスロットに挿入した後に、及び、第２の先端を第２のレバーのスロットに挿入した後に、第２のレバーを取り付けることを含むことができる。更に、又は、あるいは、いくつかの実施形態において、第１の先端を第１のレバーのスロットに挿入することは、第１のレバーを取り付けた後に第１の先端を挿入することを含むことができる。第２の先端を第２のレバーのスロットに挿入することは、第２のレバーを取り付けた後に第２の先端を挿入することを含むことができる。
【００１９】
いくつかの実施形態において、第１の先端を挿入することは、板ばねの第１の円形の先端を第１のレバーの円形のスロットに挿入することを含むことができ、第２の先端を挿入することは、板ばねの第２の円形の先端を第２のレバーの円形のスロットに挿入することを更に含むことができる。更に、いくつかの実施形態において、この方法は、第１の円形の先端を挿入する前にインサートを第１のレバーの円形のスロットに挿入することを更に含むことができる。
【００２０】
いくつかの実施形態において、第２のシェルを固定することは、第１の円筒形ピンを第１のシェル及び第２のシェル内に画定された穴の第１の対と第１のレバー内に画定された孔とに挿通することと、第２の円筒形ピンを第１のシェル及び第２のシェル内に画定された穴の第２の対と第２のレバー内に画定された孔とに挿通することと、を含むことができる。
【図面の簡単な説明】
【００２１】
発明を実施するための形態においては特に以下の図面を参照する。
【図１】整形外科用手術器具アセンブリの分解斜視図である。
【図２】１つの位置での操作レバーを示す図１の器具アセンブリの整形用器具ハンドルの横断立面図である。
【図３】別の位置での操作レバーを示す図２と類似の図である。
【図４】図１〜３の器具ハンドルの分解斜視図である。
【図５】図１の器具アセンブリの深さ止めの斜視図である。
【図６】図５の深さ止めの分解斜視図である。
【図７】図５〜６の深さ止めの底面図である。
【図８】図５〜７のブローチ停止具と共に使用される一群の複数のスペーサプレートの斜視図である。
【図９】図１の整形外科用手術器具アセンブリの分解断片斜視図である。
【図１０】図１の器具アセンブリの断片立面図である。
【図１１】整形外科手術処置の実施中の患者の大腿骨及び図１〜１０の整形外科用手術器具アセンブリの図である。
【図１２】整形外科手術処置の実施中の患者の大腿骨及び図１〜１０の整形外科用手術器具アセンブリの図である。
【図１３】整形外科手術処置の実施中の患者の大腿骨及び図１〜１０の整形外科用手術器具アセンブリの図である。
【図１４】整形外科手術処置の実施中の患者の大腿骨及び図１〜１０の整形外科用手術器具アセンブリの図である。
【図１５】整形外科手術処置の実施中の患者の大腿骨及び図１〜１０の整形外科用手術器具アセンブリの図である。
【図１６】整形外科手術処置の実施中の患者の大腿骨及び図１〜１０の整形外科用手術器具アセンブリの図である。
【発明を実施するための形態】
【００２２】
本開示の概念には様々な改変及び代替的形態が考えられるが、その特定の代表的な実施形態を図面に例として示し、本明細書において詳細に述べる。ただし、本開示の概念を開示される特定の形態に限定することを何ら意図するものではなく、その逆に、本発明は、添付の「特許請求の範囲」において定義される発明の趣旨及び範囲に包含される全ての改変物、均等物及び代替物を網羅することを意図するものである点は理解されるべきである。
【００２３】
解剖学的基準を表す、前、後、内側、外側、上、下などの用語は、本明細書全体を通じて、本明細書において述べられる整形外科用インプラント及び整形外科用手術器具に関して、並びに患者の自然の解剖学的構造に関して使用されてよい。これらの用語は、解剖学的構造の研究及び整形外科学の分野のいずれにおいても広く理解された意味を有するものである。明細書及び特許請求の範囲におけるこれらの解剖学的基準を表す用語の使用は、特に断らないかぎりは、それらの広く理解されている意味と一貫性を有するものとする。
【００２４】
ここで図１を参照すると、整形外科用手術器具アセンブリ１０（以下、器具アセンブリ１０）が示される。この場合、「整形外科用手術器具」又は「整形外科用手術器具アセンブリ」は、整形外科手術処置を実行する際に外科医により使用される手術用具を指す。したがって、本明細書で使用されるとき、用語「整形外科用手術器具」及び「複数の整形外科用手術器具」は、患者の身体に手術用に移植される整形外科用インプラント又は人工装具と異なることが理解されるべきである。
【００２５】
器具アセンブリ１０は、髄内外科用手術器具１２と、髄内外科用手術器具１２に固定されるように構成された整形外科用手術器具ハンドル１４と、器具ハンドル１４に固定されるように構成された深さ止め１６とを含む。以下で更に詳細に説明するように、外科医は、器具ハンドル１４及び深さ止め１６を使用して、髄内外科用手術器具１２を患者の大腿骨の髄管に連続して前進させて大腿プロテーゼコンポーネントを受容するように大腿骨を調製することができる。外科医は、深さ止め１６を使用して患者の大腿骨の遠位端を切除することもできる。例示的な器具アセンブリ１０は大腿骨を調製するために使用されるが、器具アセンブリ１０の他の実施形態を使用して、他の骨又は接合部、例えば、患者の脛骨の近位端を調製することができる。
【００２６】
髄内外科用手術器具１２は、ブローチ２０に結合された大腿ステムトライアル１８を含む。他の実施形態において髄内外科用手術器具１２は他の形を取ることができることが理解されるべきである。例えば、ステムトライアル１８及び／又はブローチ２０は異なるサイズの器具又は異なる構成に置き換えることができる。更に、他の実施形態において、髄内外科用手術器具１２は、ブローチなしの大腿ステムトライアルを含むことができるか、又は、ステム安定材などの別の手術器具を含むことができる。
【００２７】
図１に示すように、髄内外科用手術器具１２のステムトライアル１８は、近位先端２４から遠位端２６に延在する細長い本体２２を有する。遠位端２６は、その上に形成された複数の雄ネジ２８を有する。異なる構成を有する、他のステムトライアルが提供され得ることが理解されるべきである。例えば、ステムの外径及び／又はステムの長さは、異なる大きさのトライアルプロテーゼ構成要素のために変化してもよい。
【００２８】
髄内外科用手術器具１２のブローチ２０は、近位先端３０と、近位先端３０から遠位端３６まで延在する外表面３４と、を含む。ブローチ２０の先端３０は、大腿ステムトライアル１８のねじ付き遠位端２６を受容するようにサイズ設定される、その中で画定された開口部３２を含む。内壁は、開口部３２を画定し、内壁は、ステムトライアル１８の遠位端２６の雄ネジ２８に対応する、その上に形成された複数の雌ネジを有することができる。開口部３２及び雌ネジは、その結果、ステムトライアル１８をブローチ２０に固定することができる。
【００２９】
ブローチ２０の外表面３４は、テーパ形状であり、ブローチ２０の断面積は、先端３０から遠位端３６まで増加する。複数の切歯３８は、先端３０と遠位端３６との間の外表面３４上に形成される。以下で更に詳細に説明するように、切歯３８は、ブローチ２０が患者の大腿骨の髄管に挿入されたときに患者の大腿骨の髄管を取り囲む骨と係合するように構成される。異なる構成を有する他のブローチ２０を提供することができることが理解されるべきである。例えば、ブローチの外径及び／又はブローチの長さは、異なる大きさのプロテーゼ構成要素に適合する、異なる大きさの管を生成するように変化してもよい。
【００３０】
ブローチ２０は、遠位端３６にて位置決めされた実質的に平面の遠位表面４０を含む。中央開口部４２は、遠位表面４０内に画定される。中央開口部４２は、以下で更に詳細に説明するように、器具ハンドル１４のガイドピン７８を受容するようにサイズ設定される。ブローチ２０は、器具ハンドル１４の取り付け機構部５０により係合される中央開口部４２の近傍に位置決めされたフランジ４４も含む。以下で説明するように、ブローチの縦軸線４６は、先端３０及び中央開口部４２を通って延在する。軸線４６は、以下で詳細に説明するように、ブローチ２０が髄管に挿入されたときに患者の大腿骨の解剖学的軸線と整合させることができる。
【００３１】
図１に示すように、器具ハンドル１４は、細長い工具本体４８及び取り付け機構部５０を含む。取り付け機構部５０は、以下で詳細に説明するように、器具ハンドル１４に髄内外科用手術器具１２を固定するように構成されている。工具本体４８は、近位端５２から遠位端５４まで延在する。例示的な実施形態において、工具本体４８は、例えば、ステンレス鋼又はコバルトクロムなど金属材料で形成される。工具本体４８は、近位端５２にて位置決めされたハウジング５６と、ハウジング５６の遠位に位置決めされた握り部５８とを含む。握り部５８は、ユーザが器具ハンドル１４を操作することを可能にするために外科医又は他のユーザの手を受容して構成される。したがって、握り部５８は、握り部安定性を向上させるためにゴム引きの又は非平坦化材料でコーティングすることができる。いくつかの実施形態において、握り部５８は、ハウジング５６とは別個のユニットとして形成して、工具本体４８を形成するためにハウジング５６とともに組み立てることができる。
【００３２】
器具ハンドル１４は、工具本体４８の遠位端５４にて握り部５８に取り付けられた篏入プレート６０を更に含む。篏入プレート６０は、例えば握り部５８の端部上に機械的に螺設することにより、器具ハンドル１４の残りにしっかりと取り付けられる。篏入プレート６０は、小槌、大槌、又は他の篏入工具などの打設工具との使用に適した耐久性がある遠位表面６２を含む。遠位表面６２は、ユーザの手を保護するために握り部５８を覆うほどの大きさである。使用時には、外科医は、髄内外科用手術器具１２を患者の大腿骨の髄管に進入させるために篏入プレート６０を嵌入することができる。
【００３３】
器具ハンドル１４のハウジング５６は、更に近位端５２から握り部５８まで延在する１対の側面６４、６６を含む。１対の開口部６８、７０は、側面６４、６６内に画定される。いくつかの内壁７２が、ハウジング５６を貫通する開口部６８、７０の間で延在する。内壁７２は、ハウジング５６の内側に空洞７４を画定する。以下で詳細に説明するように、空洞７４は、取り付け機構部５０のコンポーネントを含む。側面６４、６６内に画定されたいくつかの取り付けブラケット７６。取り付けブラケット７６は、深さ止め１６の取り付けブラケット１４６と別々に係合するように構成される。
【００３４】
先述したように、器具ハンドル１２は、髄内外科用手術器具１２により受容されるように構成されるガイドピン７８を含む。ガイドピン７８は、器具ハンドル１２の近位端５２から延在する。器具ハンドル１４の取り付け機構部５０は、ガイドピン７８と、開口部６８を通って空洞７４の外に遠位に延在するユーザ操作式のリリースレバー８０と、開口部７０を通って外方にガイドピン７８の方に延在する締付けレバー８２とを含む。解除レバー８０が非締付け位置から締め付け後の位置までユーザにより移動させられたとき、締付けレバー８２は、以下で説明するように、髄内外科用手術器具１２を器具ハンドル１４に固定するためにブローチ２０のフランジ４４と係合する。
【００３５】
図２及び３をここで参照すると、器具ハンドル１４の取り付け機構部５０は、更に、解除レバー８０と締付けレバー８２との間に結合される板ばね８４を含む。板ばね８４は、締付けレバー８２内に画定された相補的に成形された円形のスロット８８に結合される、近位端にて位置決めされた円形の先端８６を含む。板ばね８４は、更に、解除レバー８０内に画定された相補的に成形円形のスロット９２に結合される、遠位端にて位置決めされた円形の先端９０を含む。先端８６、９０は、スロット８８、９２内で回転して、板ばね８４を解除レバー８０及び締付けレバー８２に枢動して結合することができる。
【００３６】
スロット９２は、スロット９２内の先端９０の回転を促進するように構成されたインサート９４を含む。インサート９４は、低摩擦ポリマ材料で形成することができる。板ばね８４は、先端８６、９０との間に位置決めされた可撓体９６を有する。スロット８８、９２は、それぞれ、可撓体がスロット８８、９２を出る開口部９８、１００を含む。それぞれの先端８６、９０は、それぞれの開口部９８、１００よりも大きい直径を有し、その結果、先端８６、９０が、スロット８８、９２内に機械的に固定される。それぞれの先端８６、９０は、可撓体よりも、肉厚な材料で形成され、可撓性が低く、かつ、より耐久性があるとすることができる。
【００３７】
解除レバー８０は、工具本体４８に枢動して結合される近位端１０２と、握り部１０４を含む遠位端と、近位端１０２と握り部１０４との間に結合されたレバー本体１０６とを含む。握り部１０４は、非締付け位置と締め付け後の位置の間に解除レバー８０を移動させたときに外科医又は他のユーザにより握持されるように構成される。スロット９２は、レバー本体１０６内に近位端１０２と握り部１０４の間に位置決めされ、その結果、機械的な長所が得られる。
【００３８】
解除レバー８０の近位端１０２は、接合部１０８を介して工具本体４８に枢動して結合される。接合部１０８は、ハウジング５６及び解除レバー８０内に画定された孔１１２を通って延在する円形の開口部１１０を含む。孔１１２は、解除レバー８０のピボット点を包含する。円筒形クロスピン１１４は、解除レバー８０が工具本体４８と接合されるように開口部１１０及び孔１１２内に位置決めされる。例示的な実施形態において、クロスピン１１４は、開口部１１０に圧入されるが、クロスピン１１４を固定する任意の適切な方法を使用することができる。
【００３９】
解除レバー８０は、近位端１０２と握り部１０４との間に延在する縦軸線１１６を含む。図２を参照すると、縦軸線１１６は、非締付け位置１１８及び締め付け後の位置１２０で示されている。角度１２２は、非締付け位置１１８の縦軸線と締め付け後の位置１２０の縦軸線との間に画定される。角度１２２は、解除レバー８０の移動距離である、即ち、角度１２２は、締付けレバー８２と完全に係合するために外科医が解除レバー８０を移動させなければならない距離を表す。角度１２２は、約８０°の大きさを有することができる。
【００４０】
締付けレバー８２は、概略的に三角形の非線形形状を有する。締付けレバー８２は、開口部７０からガイドピン７８の方に延在するアーム部１２４と、アーム部１２４から遠位に空洞７４内に位置決めされた遠位端１２８の方に延在する肩部１２６とを含む。アーム部１２４は、ブローチ２０のフランジ４４と係合するように構成された留め具１３０を含み、その結果、ブローチ２０は、解除レバー８０が締付け後の位置（図３参照）にあるときに固定される。先述したように、締付けレバー８２は、非締付け位置（図２参照）と締め付け後の位置（図３参照）との間で移動可能である。非締付け位置にあるとき、アーム部１２４は、ガイドピン７８から離間される。締付けレバー８２が非締付け位置から締め付け後の位置に移動させたとき、アーム部１２４は、ガイドピン７８に接近してフランジ４４と係合する。更に、締付け後の位置にあるとき、締付けレバー８２の肩部１２６は、空洞７４の傾斜内壁１３２と係合することができる。したがって、内壁１３２は、締付けレバー８２の動きの停止具として動作することができる。締付けレバー８２の遠位端１２８は、工具本体４８に枢動して結合される。スロット８８は、遠位端１２８内に画定される。
【００４１】
締付けレバー８２は、接合部１３４を介して工具本体４８に枢動して結合される。接合部１３４は、ハウジング５６及び締付けレバー８２内に画定された孔１３８を通って延在する円形の開口部１３６を含む。孔１３８は、締付けレバー８２のピボット点を包含する。アーム部１２４、孔１３８及びスロット８８は、共通の線上にはないことに注意すべきである。円筒形クロスピン１４０は、解除レバー８２が工具本体４８と接合されるように開口部１３６及び孔１３８内に位置決めされる。例示的な実施形態において、クロスピン１４０は、開口部１３６に圧入されるが、クロスピン１４０を固定する任意の適切な方法を使用することができる。
【００４２】
解除レバー８０が図２に示された、広げたつまり非締付け位置にあるとき、締付けレバー８２は、ガイドピン７８から離間されている。更に、板ばね８４は、弛緩した弓形形状を有する。解除レバー８０を図３に示すように締付け後の位置に移動させたとき、板ばね８４は、拡張しかつ相対的に平坦になった形状を有し、板ばね８４は緊張状態になる。板ばね８４は、締付けレバー８２をガイドピン７８の方に移動させ、髄内外科用手術器具１２が器具ハンドル１４に固定される。緊張すると、板ばね８４は、締付けレバー８２を工具本体４８の遠位端５４の方に引いて、締付け後の位置のままであるように解除レバー８０及び締付けレバー８２を付勢する。髄内外科用手術器具１２は、締付け後の位置から非締付け位置に解除レバー８０を移動させることにより解除することができる。
【００４３】
図４をここで参照すると、器具ハンドル１４は、板ばね８４の先端８６を締付けレバー８２のスロット８８に挿入することによりコンポーネント部品から組み立てることができる。インサート９４を解除レバー８０のスロット９２に挿入することができる。板ばね８４の先端９０を解除レバー８０のスロット９２に挿入することができる。組み立てた締付けレバー８２、板ばね８４、及び解除レバー８０は、開口部６８、７０の１つを介してハウジング５６の空洞７４に挿入することができる。締付けレバー８２は、クロスピン１４０を孔１３８及び開口部１３６を挿通することにより工具本体４８に枢動して固定することができる。解除レバー８０も、クロスピン１１４を孔１１２及び開口部１１０に挿通することにより工具本体４８に枢動して固定することができる。
【００４４】
図５〜７をここで参照すると、深さ止め１６は、患者の髄管内の適切な深部にて髄内外科用手術器具１２を着座させるために外科医により使用することができる実質的に平面の近位表面１４４を画定する底板１４２を含む。深さ止め１６は、底板１４２に結合された取り付けブラケット１４６も含む。取り付けブラケット１４６は、上述したように、器具ハンドル１４の取り付けブラケット７６の１つと係合するように構成される。深さ止め１６は、更に、以下で更に詳細に説明するように、器具ハンドル１４を深さ止め１６に固定するように構成されるロック機構部１４８を含む。
【００４５】
深さ止め１６の底板１４２は、深さ止め１６の近位表面１４４を画定するように協働する１対のアーム部１５０を含む。近位表面１４４を通って延在する溝１５２は、アーム部１５０との間に画定され、かつ、器具ハンドル１４のハウジング５６を受容するようにサイズ設定される。例示的な実施形態において、近位表面１４４は、以下で更に詳細に説明するように、大腿骨の遠位端を切除するために捕捉されない遠位切断ガイドとして外科医によって使用されてもよい。
【００４６】
底板１４２は、近位表面１４４の反対側に位置決めされた遠位表面１５４を含む。遠位表面１５４及び近位表面１４４は、最大厚さ１５８を有する壁部１５６により分離される。いくつかの実施形態において、厚さ１５８は、設置される人工大腿骨コンポーネントの厚さと同等とすることができる。いくつかの実施形態において、厚さ１５８は、約９ミリメートルとすることができる。
【００４７】
アーム部１５０のそれぞれは、近位表面１４４に平行に延在する円筒形通路１６０を含むことができる。通路１６０は、以下で説明するように、モジュール式の切断ガイド又は測定ゲージなどの更なる手術器具を深さ止め１６に固定するように構成される。通路１６０は、図示するように（図５参照）近位表面１４４を介して部分的に露出させることができるか、又は、いくつかの実施形態においてアーム部１５０内に完全に含めることができる。
【００４８】
深さ止め１６の取り付けブラケット１４６は、近位表面１４４の反対側の底板１４２に固定される。取り付けブラケット１４６は、器具ハンドル１４の取り付けブラケット７６のそれぞれと係合するように構成された１対のフランジ１６２を含む。溝１６４は、アーム部１５０により画定された溝１５２よりも狭いフランジ１６２の間に画定される。したがって、フランジ１６２は、取り付けブラケット７６の対応する１つと係合することにより深さ止め１６を安定させる。それぞれのフランジ１６２の隅部は、深さ止め１６がより容易に器具ハンドル１４上に摺動することを可能にする面取り部１６６を含む。１対のフランジ１６２を含むように示されているが、いくつかの実施形態において、取り付けブラケット１４６は、器具ハンドル１４の取り付けブラケット７６のそれぞれにより受容されるように構成された単一のフランジ、出張り、又は他の投影を含むことができる。
【００４９】
溝１５２、１６４は、更に、近位表面１４４と交差する軸線１６８（図７参照）を画定する。軸線１６８及び近位表面１４４は、傾斜角１７０を画定する、即ち、軸線１６８は、近位表面１４４に対して垂直ではない。使用時には、傾斜角１７０は、患者の大腿骨の解剖学的軸線と、大腿骨コンポーネントと人工膝関節のポリマーベアリングとの間の継ぎ目との間の角度に対応する。角度１７０の大きさは、プロテーゼコンポーネントに適合する、換言すると、角度１７０は、大腿骨コンポーネントの遠位表面と解剖学的軸線との間の角度に対応する。いくつかの実施形態において、角度１７０は、約８５°の大きさを有することができる。更に、角度１７０は、左右両方の膝に向けて横方向に外方に延在する。したがって、専用の深さ止め１６を右の膝又は左の膝に使用することができる。
【００５０】
取り付けブラケット１４６は、任意のマーキングが、深さ止め１６が器具ハンドル１４に取り付けられたときに係合した取り付けブラケット７６に関連した器具ハンドル１４上で目視可能であることを可能にするように構成されたノッチ１７２を更に含む。
【００５１】
図６をここで参照すると、深さ止め１６は、更に、器具ハンドル１４に深さ止め１６を固定するように構成されるロック機構部１４８を含む。ロック機構部１４８は、取り付けブラケット１４６内で摺動するように構成されたラッチプレート１７４と、ラッチプレート１７４を取り付けブラケット１４６に固定するように構成された１対のピン１８０、１８２と、付勢要素１８４とを含む。ラッチプレート１７４は、一端上に位置決めされた、器具ハンドル１４と係合するように構成される留め具１７６を含む。他端上において、ラッチプレート１７４は、留め具１７６と選択的に係合又は離脱するように動作可能であるユーザ操作式のボタン１７８を含む。例示される実施形態において、ボタン１７８は、外科医又は他のユーザの指先を受容するように構成された、凹凸を有する外側表面を含む。ラッチプレート１７４は、更に、留め具１７６近傍に画定された細長い開口部１８６と、ボタン１７８近傍に画定された開口部１８８とを含む。
【００５２】
ピン１８０は、ラッチプレート１７４の細長い開口部１８６及び取り付けブラケット１４６内に画定された孔１９０内に位置決めされる。したがって、細長い開口部１８６は、ラッチプレート１７４の移動範囲を画定する。ピン１８２は、取り付けブラケット１４６内に画定された開口部１８８及び孔１９２内に位置決めされる。付勢要素１８４、例示的な実施例において、バネは、ラッチプレート１７４とピン１８２との間に位置決めされる。付勢要素１８４は、ラッチプレート１７４を押し当たって、留め具１７６を図７に示す係合した位置において付勢する。ボタン１７８が矢印１９４により示された方向に押されたとき、ラッチプレート１７４は、離脱した位置に移動する。ラッチプレート１７４は、更に、留め具１７６上に位置決めされたカム表面１９６を含む。
【００５３】
図８をここで参照すると、器具アセンブリ１０は、それぞれ深さ止め１６に取り付けることができるいくつかのスペーサプレート１９８と共に使用することができる。スペーサプレート１９８のそれぞれは、遠位表面２０２の反対側の実質的に平面の近位表面２００を含む。近位表面２００及び遠位表面２０２は、厚さ２０６を有する壁部２０４により分離される。
【００５４】
スペーサプレート１９８のそれぞれは、更に、プレートを深さ止め１６に固定するために使用される１対のピン２０８を含む。深さ止め１６は、近位表面１４４及び取り付けブラケット１４６を接続する実質的に平面の壁部２１２内に画定された１対の取り付け穴２１０を含む。取り付け穴２１０は、壁部２１２から近位表面１４４に平行なアーム部１５０を通って延在する。スペーサプレート１９８のそれぞれのピン２０８は取り付け穴２１０内に摺動して、スペーサプレート１９８を深さ止め１６に固定することができる。スペーサプレート１９８が深さ止め１６に固定されたとき、遠位表面２０２は、深さ止め１６の近位表面１４４と係合する。いくつかの実施形態において、１つ又はそれ以上の更なる又は異なる取り付けデバイス、例えば、捕捉された切断ブロックの取り付けブラケット又は捕捉された切断ブロックの取り付けピンを、取り付け穴２１０を使用して深さ止め１６に固定することができる。いくつかの実施形態において、捕捉された切断ブロックをスペーサプレート１９８（図示せず）の類似の取り付け穴に取り付けることができる。
【００５５】
スペーサプレート１９８が深さ止め１６に固定されたとき、外科医は、以下で更に詳細に説明するように、スペーサプレート１９８の近位表面２００を捕捉されない遠位切断ガイドとして使用することができる。スペーサプレート１９８のそれぞれは、異なる厚さ２０６を有することができ、外科医は、妥当な切り込み量を選択することができる。例えば、スペーサプレート１９８は、４ミリメートル、８ミリメートル、１２ミリメートル、及び１６ミリメートルの厚さ２０６で実施することができる。したがって、スペーサプレート１９８が深さ止め１６に取り付けられたとき、近位表面１４４の位置は、スペーサプレート１９８の厚さ２０６だけブローチ２０の遠位端に実際上近づけられる。
【００５６】
図９をここで参照すると、深さ止め１６は、深さ止め１６の溝１５２、１６４を器具ハンドル１４の取り付けブラケット７６と整合させることにより器具ハンドル１４に取り付けることができる。それぞれの取り付けブラケット７６は、開口部６８、７０全体にわたって横方向に延在する側面６４、６６内に画定された１対のスロット２１４として実施することができる。スロット２１４のそれぞれの対は、共通の仮想平面２１６上に位置決めすることができる。深さ止め１６のフランジ１６２は、スロット２１４の対の１つと整合される。いくつかの実施形態において、スロット２１４の対としてよりはむしろ、取り付けブラケット７６のそれぞれは、深さ止め１６の取り付けブラケット１４６を受容するように構成される工具本体４８の外部に形成された単一の凹部として実施することができることに注意しなければならない。その後、深さ止め１６を器具ハンドル１４と接触させることができる。
【００５７】
深さ止め１６を器具ハンドル１４と接触させると、フランジ１６２は、スロット２１４の対の選択された１つと係合する。深さ止め１６が更に器具ハンドル１４と係合すると、フランジ１６２は、スロット２１４の選択された対に沿って摺動し、ロック機構部１４８のカム表面１９６は、前進して器具ハンドル１４のハウジング５６と接触する。カム表面１９６及びハウジング５６の係合によって、ラッチプレート１７４は、留め具１７６を離脱させるために矢印１９４により示された方向に移動する。フランジ１６２がスロット２１４の選択された対に沿って更に摺動すると、カム表面１９６が離脱して、バネ１８４は、係合した位置に戻るように留め具１７６を付勢することができ、その結果、深さ止め１６が器具ハンドル１４に固定される。フランジ１６２は、ハウジング５６が溝１６４の端部にて位置決めされた深さ止め１６の壁部１５６に接触するまでスロット２１４の選択された対に沿って摺動する。
【００５８】
髄内外科用手術器具１２は、ブローチ２０の中央開口部４２を器具ハンドル１４のガイドピン７８と、ブローチ２０のフランジ４４を器具ハンドル１４の留め具１３０と整合させることにより器具ハンドル１４に取り付けることができる。器具ハンドル１４は、解除レバー８０がロック前の位置に前進され、工具本体４８の近位端５２がブローチ２０の遠位表面４０と係合するまでガイドピン７８を中央開口部４２に移動させる。握り部５８及び器具ハンドル１４の解除レバー８０は、解除レバー８０を締付け後の位置に移動させるために共に圧搾され、留め具１３０はフランジ４４と係合し、その結果、ブローチ２０が器具ハンドル１４に固定される。解除レバー８０が締付け後の位置にあるとき、板ばね８４は、髄内外科用手術器具１２を器具ハンドル１４に固定する締付け力を供給する。
【００５９】
図１０をここで参照すると、先述したように、角度１７０は、近位表面１４４及び深さ止め１６の溝１５２、１６４により画定される軸線１６８により画定される。角度１７０は、適切に組み立てられたときにブローチ軸線４６及び軸線１６８が一致するので、器具アセンブリ１０が組み立てられたときにブローチ軸線４６及び近位表面１４４によっても画定される。やはり、先述したように、傾斜角１７０は、約８５°の大きさを有することができる。
【００６０】
更に、器具アセンブリ１０が組み立てられたときに、距離２１８が、ブローチ２０の遠位表面４０と深さ止め１６の近位表面１４４との間に画定される。角度１７０によってそのような距離２１８は近位表面１４４の範囲にわたって変動するので、距離２１８は、ブローチ軸線４６と交差するブローチ２０の遠位表面４０上の地点２２０と近位表面１４４との間の最短距離として画定することができる。深さ止め１６の遠位表面１５４は、近位表面１４４の範囲にわたって一定である厚さ１５８だけ更にブローチ２０の遠位表面４０から離れて位置決めされる。
【００６１】
取り付けブラケット７６のそれぞれは、近位表面１４４とブローチ２０の遠位表面４０との間の所定の距離２１８と関連付けられる。したがって、外科医は、所望の距離２１８に基づく取り付けのために取り付けブラケット７６を選択することができる。ハウジング５６上の１組のマーキング２２２は、外科医が取り付けブラケット７６を選択する際の助けとなることができる。マーキング２２２は、深さ止め１６のノッチ１７２越しに見える。他の実施形態において、いくつかの取り付けブラケット７６を含むよりはむしろ、器具ハンドル１４は、単一の取り付けブラケット７６を含むことができることに注意すべきである。その例において、器具アセンブリ１０は、それぞれ異なる厚さ１５８を有するいくつかの深さ止め１６を含む。したがって、その例において、距離２１８は、選択した深さ止め１６に左右される。
【００６２】
器具アセンブリ１０は、図１１〜１６に示すものと類似の整形外科手術処置の実施中に利用することができる。図１１〜１５に示すように、外科医は、髄管を初めに調製することができる。その後、外科医は、器具アセンブリ１０を組み立てて髄内外科用手術器具１２を髄管に挿入することができる。図１６に示すように、外科医は、必要に応じて大腿骨の遠位表面を切除することができる。図１６に示すように、外科医は、更なる整形用器具をブローチ２０に取り付けて、更に大腿骨の遠位表面を調製することができる。
【００６３】
外科医は、初めに患者の大腿骨３０４の髄管３０２を調製する。そうするために、外科医は、初期手術リーマーを髄管３０２に挿入することができる。いくつかの実施形態において、ステムトライアル１８のねじ付き遠位端２６は、髄管３０２内の挿入前にリーマーに固定することができる。外科医は、リーマーを使用して、ブローチ２０及び／又はステムトライアル１８を受容するために必要とされる奥行き及び／又は直径まで髄管３０２を穿孔及び／又はリーマー仕上げすることができる。複数のドリル又はリーマーを使用して患者の大腿骨の遠位端上に形成された髄管の開口部を大きくすることができる。リーミング動作が完全したとき、髄管３０２は、図１１に示すように構成され、かつ、いつでも髄内外科用手術器具１２を受容する態勢にある。
【００６４】
髄管３０２を調製した後に、外科医は、先述したように、深さ止め１６及び髄内外科用手術器具１２を器具ハンドル１４に取り付けることにより器具アセンブリ１０を組み立てる。先述したように、外科医は、右の膝又は左の膝のどちらかに特化した深さ止め１６を選択することができる。組み立て前に、外科医は、患者の大腿骨３０４の遠位表面３０６に対して髄内外科用手術器具１２の最終奥行きを設計することができる。奥行きは、設置される人工大腿骨コンポーネントのサイズに左右される。奥行きは、患者の大腿骨３０４の遠位表面３０６の状態にも左右される場合がある。外科医は、患者の大腿骨３０４の状態に応じて、手術前に又は手術中にこの判断を行うことができる。例えば、大量の骨が悪化するか又はなくなっている場合、外科医は、より浅い最終奥行きを選択することができる、即ち、外科医は、ブローチ２０の位置を遠心移動（distalize）させてもよい。
【００６５】
髄内外科用手術器具１２の設計した最終奥行きに基づいて、外科医は、器具ハンドル１４上の妥当な位置内に位置する取り付けブラケット７６を選択して、その選択した取り付けブラケット７６に深さ止め１６を取り付ける。外科医は、取り付けブラケット７６を選択するときにマーキング２２２を参照することができる。ブローチ２０を取り付けブラケット７６の範囲を超えて遠心移動させるために、外科医は、妥当な厚さ２０６を有するスペーサプレート１９８の１つを深さ止め１６に取り付ける（図１４参照）ことができる。したがって、深さ止め１６を選択した取り付けブラケット７６に取り付け、かつ、妥当なスペーサプレート１９８を随意的に取り付けることにより、外科医は、ブローチ２０の遠位端３６と深さ止め１６の近位表面１４４との間の距離２１８を設定したのである。先述したように、異なる実施形態において、距離２１８を設定するために、外科医は、深さ止め１６を異なる厚さ１５８を有するいくつかの深さ止め１６から選んで、選択した深さ止め１６を取り付けブラケット７６に取り付けることができる。
【００６６】
深さ止め１６を取り付けた後に、外科医は、ブローチ２０の先端３０上へステムトライアル１８の遠位端２６を螺設することにより髄内外科用手術器具１２を組み立てることができる。外科医は、ブローチ２０の中央開口部４２を器具ハンドル１４のガイドピン７８上に位置決めし、ブローチ２０の遠位表面４０を器具ハンドル１４と係合させて、解除レバー８０を締付け後の位置に圧搾することにより髄内外科用手術器具１２を器具ハンドル１４に固定することもできる。
【００６７】
外科医は、図１１に示すように、手術アセンブリ１０を患者の大腿骨３０４の髄管３０２と整合させることができる。そうするために、外科医は、ブローチ軸線４６を髄管３０２の遠位開口部３１０を通って延在する大腿骨３０４の解剖学的軸線３０８と整合させる。その後、外科医は、小槌、大槌又は他の篏入工具で器具ハンドル１４の篏入プレート６０を叩くことにより解剖学的軸線３０８に沿って大腿骨３０４に髄内外科用手術器具１２を打ち込むことができる。髄内外科用手術器具１２が骨に打ち込まれると、ブローチ２０の切歯３８が、患者の大腿骨３０４と係合して、人工大腿骨コンポーネントつまり大腿骨トライアルコンポーネントを受容するように髄管３０２を形づくる。
【００６８】
髄内外科用手術器具１２が骨に進入すると、図１２に示すように、外科医は、大腿骨３０４の遠位表面３０６に対する髄内外科用手術器具１２の位置を評価することができる。深さ止め１６の遠位表面１５４は、想像上の継ぎ目３１２を画定する。継ぎ目３１２は、人工大腿骨コンポーネントと人工膝の人工脛骨ベアリングとの間の設計された接触線を表す。したがって、外科医は、髄内外科用手術器具１２が髄管３０２内に適切に位置決めされているかどうか評価するときに継ぎ目３１２を参照することができる。外科医は、底板１４２の遠位表面１５４を継ぎ目３１２の目視基準として使用することができる。更に、外科医は、アーム部１５０のそれぞれの湾曲形状を人工大腿骨コンポーネントの顆状突起の形状を反映する目視基準として使用することができる。手術のこの段階において、外科医は、ブローチ２０を遠心移動させて、先述したように、スペーサプレート１９８の１つを深さ止め１６に取り付けることを決断することができる。
【００６９】
外科医は、深さ止め１６の近位表面１４４（又はスペーサプレート１９８の近位表面２００）が図１３に示すように大腿骨３０４の遠位表面３０６と係合するまで大腿骨３０４の解剖学的軸線３０８に沿って髄管３０２に髄内外科用手術器具１２を進入させることができる。大腿骨３０４の両方の顆状突起３１４が等しく遠位でありかつ欠陥がない場合、近位表面１４４は、両方の顆状突起３１４に接触することができる。顆状突起３１４の一方が他方の顆状突起３１４より遠位に更に延在する場合、近位表面１４４は、図１３に示すように最も遠位の顆状突起３１４に接触することができる。近位表面１４４が遠位表面３０６と係合しているとき、近位表面１４４とブローチ２０との間の距離２１８によって、髄管３０２内のブローチ２０の奥行きが決まる。
【００７０】
ブローチング後又は中、外科医は、大腿骨３０４の遠位表面３０６を切除するべきかどうか判断することができる。外科医は、凹凸を除去して人工大腿骨コンポーネントの固定に向けてきれいな骨面をもたらすために遠位表面３０６を切除することを決断することができる。切除を実行するために、図１３に示すように、外科医は、手術鋸（surgical saw）の鋸刃３１６を近位表面１４４と大腿骨３０４の遠位表面３０６との間に挿入することができる。外科医は、大腿骨３０４と係合させて近位表面１４４を基準として使用して所望の量の骨を除去することができる。したがって、近位表面１４４は、捕捉されない遠位切断ガイドの役目を果たすことができる。図１４に示すように、いくつかの実施形態において、スペーサプレート１９８を深さ止め１６に取り付けることができる。当該の実施形態において、近位表面１４４と同様に、取り付けられたスペーサプレート１９８の近位表面２００は捕捉されない遠位切断ガイドとして使用することができる。先述したように、いくつかの実施形態において、捕捉された切断ブロックをブローチ停止具１６つまりスペーサプレート１９８に取り付けて切除を実行することができる。大腿骨３０４を切除した後に、外科医は、先述したように、近位表面１４４（又は、いくつかの実施形態において近位表面２００）が大腿骨３０４の新たに切断した遠位表面３０６と係合するまで髄内外科用手術器具１２を解剖学的軸線３０８に沿って前進させ続けることができる。
【００７１】
図１５をここで参照すると、いくつかの実施形態において、外科医は、測定ゲージ４０２を深さ止め１６に取り付けることができる。深さ止め１６との使用に適した測定ゲージが、「ＦＥＭＯＲＡＬ  ＯＲＴＨＯＰＡＥＤＩＣ  ＳＵＲＧＩＣＡＬ  ＩＮＳＴＲＵＭＥＮＴ  ＩＮＣＬＵＤＩＮＧ  Ａ  ＭＥＡＳＵＲＥＭＥＮＴ  ＤＥＶＩＣＥ  ＡＮＤ  ＭＥＴＨＯＤ  ＯＦ  ＵＳＥ  ＯＦ  ＳＡＭＥ」という名称の米国特許出願第１３／７８０，８３６号において図示及び説明されており、この特許は、参照により本明細書に組み入れられる。測定ゲージ４０２は、アーム部４０４と、アーム部４０４から延在する取り付けシャフト４０６とを含む。先述したように、測定ゲージ４０２の取り付けシャフト４０６は、深さ止め１６のアーム部１５０の１つに画定された通路１６０内に摺動することができ、その結果、測定ゲージ４０２が深さ止め１６に固定される。測定ゲージ４０２のアーム部４０４は、いくつかの参照マーキング４０８を含む。深さ止め１６に固定されたとき、参考文献マーキングのそれぞれは、継ぎ目３１２からの所定の距離を示す。マーキング４０８は、継ぎ目３１２と整合されるゼロ標識４１０を含む。髄管３０２にブローチ２０を前進させている間、外科医は、マーキング４０８を参照して、大腿骨３０４の特徴部、例えば、遠位表面３０６又は顆状突起３１４に対して継ぎ目３１２の位置を判断することができる。
【００７２】
髄内外科用手術器具１２が所定の位置にあり、一切の切除が完了した後、外科医は、人工インプラント（prosthetic implant）を受容するように髄管３０２及び大腿骨３０４を更に調製することができる。外科医は、解除レバー８０を操作する、つまり、解除レバー８０をロック前の位置に移動させることによりブローチ２０から器具ハンドル１４を解除することができる。器具ハンドル１４を除去した後に、髄内外科用手術器具１２は、髄管３０２内に着座したままである。図１６に示すように、外科医は、髄内アダプタ４１２を髄内外科用手術器具１２に固定することができる。髄内アダプタ４１２は、髄内外科用手術器具１２に固定されるように構成され、かつ、整形外科手術中に患者の大腿骨の髄管内に位置決めされるようにサイズ設定及び成形された端部を含む外科用具である。髄内アダプタ４１２を髄内外科用手術器具１２に固定するために、外科医は、髄内アダプタ４１２の捕捉されたボルト４１４をブローチ２０の中央開口部４２と係合させて捕捉されたボルト４１４を締結することができる。中央開口部４２は、捕捉されたボルト４１４を受容するように構成されたねじ付き内面を含むことができる。
【００７３】
外科医は、モジュール式の切断ブロック４１６を髄内アダプタ４１２に更に取り付けることができる。モジュール式の切断ブロック４１６は、底板４１８と、底板４１８から後ろに延在する１対の湾曲アーム部４２０とを含む。湾曲アーム部４２０のそれぞれは、人工大腿骨コンポーネントの顆状表面に対応することができる。モジュール式の切断ブロック４１６は、更に、外科医が患者の大腿骨３０４の遠位表面３０６を調製するために使用することができるいくつかの切断ガイド４２２を含む。外科医は、更なるサブモジュールをモジュール式の切断ブロック４１６に取り付け、更なる切り込みを実行して、患者の大腿骨３０４（図示せず）を調製することができる。
【００７４】
モジュール式の切断ブロック４１６を設置した後に、外科医は、間隔評価用具４２４を使用して、患者の脛骨３１８に対して大腿骨３０４の位置を評価することができる。間隔評価用具４２４は、例えば、患者の屈曲部と拡張部の間隙及び人工インプラントのサイズを含む患者の大腿骨３０４と脛骨３１８との間の関節窩を評価するために使用することができる。大腿骨３０４の調製を完了した後に、外科医は捕捉されたボルト４１４を弛めて、髄内アダプタ４１２及びモジュール式の切断ブロック４１６を患者大腿骨３０４から除去することができる。
【００７５】
最後に、患者の大腿骨３０４の調製を完了した後に、外科医は、器具ハンドル１４をブローチ２０に再度取り付けて、髄内外科用手術器具１２を髄管３０２から除去することができる。除去後、外科医は、プロテーゼコンポーネントの植え込みを進めることができる。
【００７６】
以上、図面及び上記の説明文において本開示内容を詳細に図示、説明したが、こうした図示、説明はその性質上、例示的なものとみなすべきであって、限定的なものとみなすべきではなく、あくまで例示的実施形態を示し、説明したものにすぎないのであって、本開示の趣旨の範囲に含まれる変更及び改変は全て保護されることが望ましい点は理解されるであろう。
【００７７】
本開示は、本明細書において述べた方法、装置、及びシステムの様々な特徴に基づく多くの利点を有するものである。本開示の方法、装置、及びシステムの代替的実施形態は、ここで述べた特徴の全てを含むわけではないが、こうした特徴の利点の少なくとも一部から利益を享受するものであることに留意されよう。当業者であれば、本発明の１つ又は２つ以上の特徴を取り入れた、特許請求の範囲において定義される本開示の趣旨及び範囲に包含される方法、装置、及びシステムを独自に容易に実施することが可能である。
【００７８】
〔実施の態様〕
（１）  整形外科用手術器具であって、
（ｉ）遠位端から近位端に延在する細長い本体であって、内部に画定された空洞を有する、細長い本体、及び（ｉｉ）前記近位端から延在するガイドピン、を含むハンドルと、
前記空洞から遠位端に外方に延在する第１のレバーであって、前記空洞内で前記細長い本体に枢動して結合される近位端を含む、第１のレバーと、
（ｉ）前記空洞から近位端に外方に延在するレバー本体であって、前記空洞内で前記細長い本体に枢動して結合される遠位端を有する、レバー本体、及び（ｉｉ）前記レバー本体の前記近位端から延在する留め具、を含む第２のレバーと、
前記第１のレバーの動きが前記第２のレバーの動きを引き起こすように前記第１のレバーを前記第２のレバーに接続している板ばねと、
を備え、前記第１のレバーは、（ｉ）前記第１のレバーの前記遠位端が前記細長い本体から第１の距離離間配置される非締付け位置と、（ｉｉ）前記第１のレバーの遠位端が前記細長い本体から前記第１の距離を下回る第２の距離離間配置される締付け後の位置と、の間で回動し、
（ｉ）前記第１のレバーが前記非締付け位置にあるとき、前記第２のレバーは、前記留め具が前記ガイドピンから第１の距離離間配置される第１の位置にあり、（ｉｉ）前記第１のレバーが前記締付け後の位置にあるとき、前記第２のレバーは、前記留め具が前記ガイドピンから前記第１の距離を下回る第２の距離離間配置される第２の位置にあり、
前記板ばねは、前記第１のレバーが前記第２の位置に前記第２のレバーをロックするために前記締め付け後の位置にあるときに緊張状態である、整形外科用手術器具。
（２）  前記細長い本体は、第１の細長い開口部が内部に画定された第１の側壁と、第２の細長い開口部が内部に画定された第２の側壁と、を含み、
前記第１の開口部及び前記第２の開口部は、前記細長い本体内の前記空洞を画定する、実施態様１に記載の整形外科用手術器具。
（３）  前記第１の側壁は、中に画定される複数の第１の取り付けスロットを含み、前記取り付けスロットは、前記第１の開口部に横方向に延在し、
前記第２の側壁は、内部に画定される複数の第２の取り付けスロットを含み、前記取り付けスロットは、前記第２の開口部に横方向に延在し、
それぞれの第２の取り付けスロットは、前記第１の取り付けスロットの１つと共通の想像上の平面内に位置決めされる、実施態様２に記載の整形外科用手術器具。
（４）  前記第１のレバーは、前記第１の開口部を通って外方に延在し、
前記第２のレバーの前記レバー本体は、前記第２の開口部を通って外方に延在する、実施態様２に記載の整形外科用手術器具。
（５）  前記空洞は、前記第２の開口部に対向する内壁を含み、前記内壁及び前記第２の側壁は、傾斜角を画定し、
前記第２のレバーの前記レバー本体は、前記留め具に結合されたアーム部と、前記アーム部と前記遠位端との間に結合された肩部と、を含み、前記肩部の傾斜面は、前記内壁に対向し、前記肩部の前記傾斜面は、前記アーム部の内面に対して傾斜角を画定し、
前記第２のレバーが前記締付け後の位置にあるとき、前記第２のレバーの前記傾斜面は前記内壁と係合する、実施態様４に記載の整形外科用手術器具。
【００７９】
（６）  前記第１のレバーは、第１の接合部を介して前記細長い本体に枢動して結合され、前記第１の接合部は、前記細長い本体を通って延在する円筒形ピンと、前記第１のレバー内に画定された孔とを含み、
前記第２のレバーは、第２の接合部を介して前記細長い本体に枢動して結合され、前記第２の接合部は、前記細長い本体を通って延在する円筒形ピンと、前記第２のレバー内で画定された孔とを含む、実施態様１に記載の整形外科用手術器具。
（７）  前記第１のレバーは、第１の円形のスロットを含み、
前記板ばねは、前記第１の円形のスロット内で受け止められている第１の円形の先端を含み、前記第１の円形の先端は、前記第１の円形のスロット内で画定された開口部より大きい直径を有し、
前記第２のレバーは、第２の円形のスロットを含み、
前記板ばねは、前記第２の円形のスロット内で受け止められている第２の円形の先端を含み、前記第２の円形の先端は、前記第２の円形のスロット内で画定された開口部より大きい直径を有する、実施態様１に記載の整形外科用手術器具。
（８）  前記第１の円形のスロットは、前記板ばねの前記第１の円形の先端を受容するようにサイズ設定されたインサートを含む、実施態様７に記載の整形外科用手術器具。
（９）  前記第１のレバーは、
前記細長い本体に枢動して結合された第１の端部と、
握り部を含む、遠位に延在する第２の端部と、
を有するレバー本体を含み、前記第１の円形のスロットは、前記第１の端部と前記第２の端部との間で前記レバー本体内に画定される、実施態様７に記載の整形外科用手術器具。
（１０）  前記細長い本体は、前記細長い本体の前記近位端と前記細長い本体の前記遠位端との間に延在する縦軸線を有し、
前記第１のレバーは、前記レバーの前記近位端と前記レバーの前記遠位端との間に延在する縦軸線を有し、
前記細長い本体の前記縦軸線及び前記第１のレバーの前記縦軸線は、前記第１のレバーが前記非締付け位置にあるとき第１の角度を画定し、
前記細長い本体の前記縦軸線及び前記第１のレバーの前記縦軸線は、前記第１のレバーが前記締付け後の位置にあるとき第２の角度を画定し、
前記第２の角度の大きさは、前記第１の角度の大きさをほぼ８０°下回る、実施態様１に記載の整形外科用手術器具。
【００８０】
（１１）  整形外科用手術アセンブリであって、
（ｉ）内部に画定された複数の切歯を有するテーパ形状の外面、（ｉｉ）内部に画定された中央開口部を有する遠位面、及び（ｉｉｉ）前記中央開口部の近傍に位置決めされたフランジ、を含むブローチと、
（ｉ）前記ブローチの前記中央開口部内で受容されたガイドピン、（ｉｉ）前記ガイドピンから遠位に延在する細長い本体、（ｉｉｉ）前記細長い本体から外方に延在する第１のレバーであって、前記細長い本体に枢動して結合される近位端を含む、第１のレバー、（ｉｖ）前記細長い本体から外方に延在する第２のレバーであって、前記細長い本体に枢動して結合される遠位端を有する、第２のレバー、及び（ｖ）前記第１のレバーの動きが前記第２のレバーの動きを引き起こすように前記第１のレバーを前記第２のレバーに接続している板ばね、を含むハンドルと、を備え、
（ｉ）前記第２のレバーは、前記ブローチの前記フランジと係合された留め具を含み、（ｉｉ）前記板ばねは、締付力を前記第２のレバーに適用し、
前記第１のレバーは、（ｉ）前記留め具が前記ブローチの前記フランジと係合される締付け後の位置と、（ｉｉ）前記留め具が前記ブローチの前記フランジから離間配置される非締付け位置と、の間で移動可能である、整形外科用手術アセンブリ。
（１２）  前記ハンドルの前記第１のレバーは、第１の接合部を介して前記細長い本体に枢動して結合され、前記第１の接合部は、前記細長い本体を通って延在する円筒形ピンと、前記第１のレバー内に画定された孔とを含み、
前記ハンドルの前記第２のレバーは、第２の接合部を介して前記細長い本体に枢動して結合され、前記第２の接合部は、前記細長い本体を通って延在する円筒形ピンと、前記第２のレバー内に画定された孔とを含む、実施態様１１に記載の手術アセンブリ。
（１３）  前記ハンドルの前記第１のレバーは、第１の円形のスロットを含み、
前記ハンドルの前記板ばねは、前記第１の円形のスロット内で受容される第１の円形の先端を含み、前記第１の円形の先端は、前記第１の円形のスロット内に画定された開口部より大きい直径を有し、
前記ハンドルの前記第２のレバーは、第２の円形のスロットを含み、
前記板ばねは、前記第２の円形のスロット内で受容される第２の円形の先端を含み、前記第２の円形の先端は、前記第２の円形のスロット内に画定された開口部より大きい直径を有する、実施態様１１に記載の手術アセンブリ。
（１４）  前記第１の円形のスロットは、前記板ばねの前記第１の円形の先端を受容するようにサイズ設定されたインサートを含む、実施態様１３に記載の手術アセンブリ。
（１５）  前記第１のレバーは、
前記細長い本体に枢動して結合された第１の端部と、
握り部を含む、遠位に延在する第２の端部と、を有するレバー本体を含み、
前記第１の円形のスロットは、前記第１の端部と前記第２の端部との間で前記レバー本体内に画定される、実施態様１３に記載の手術アセンブリ。
【００８１】
（１６）  前記ハンドルの前記細長い本体は、前記細長い本体の前記近位端と前記細長い本体の前記遠位端との間に延在する縦軸線を有し、
前記ハンドルの前記第１のレバーは、前記レバーの前記近位端と前記レバーの前記遠位端との間に延在する縦軸線を有し、
前記細長い本体の前記縦軸線及び前記第１のレバーの前記縦軸線は、前記第１のレバーが前記非締付け位置にあるとき第１の角度を画定し、
前記細長い本体の前記縦軸線及び前記第１のレバーの前記縦軸線は、前記第１のレバーが前記締付け後の位置にあるとき第２の角度を画定し、
前記第２の角度の大きさは、前記第１の角度の大きさをほぼ８０°下回る、実施態様１１に記載の手術アセンブリ。
（１７）  整形外科用手術器具を組み立てる方法であって、
第１のレバーをハンドルの第１のシェルに取り付けることと、
第２のレバーを前記ハンドルの前記第１のシェルに取り付けることと
板ばねの第１の先端を前記第１のレバーのスロットに挿入することと、
前記板ばねの第２の先端を前記第２のレバーのスロットに挿入することと、
前記ハンドルを形成するために第２のシェルを前記第１のシェルに固定することと、を含み、（ｉ）前記第１のレバーは、第１の開口部を通って前記ハンドルから外方に延在し、（ｉｉ）前記第２のレバーは、前記第１の開口部の反対側の第２の開口部を通って前記ハンドルから外方に延在する、方法。
（１８）  前記第１のレバーを取り付けることは、前記第１の先端を前記第１のレバーの前記スロットに挿入した後に、及び、前記第２の先端を前記第２のレバーの前記スロットに挿入した後に、前記第１のレバーを取り付けることを含み、
前記第２のレバーを取り付けることは、前記第１の先端を前記第１のレバーの前記スロットに挿入した後に、及び、前記第２の先端を前記第２のレバーの前記スロットに挿入した後に、前記第２のレバーを取り付けることを含む、実施態様１７に記載の方法。
（１９）  前記第１の先端を前記第１のレバーの前記スロットに挿入することは、前記第１のレバーを取り付けた後に前記第１の先端を挿入することを含み、
前記第２の先端を前記第２のレバーの前記スロットに挿入することは、前記第２のレバーを取り付けた後に前記第２の先端を挿入することを含む、実施態様１７に記載の方法。
（２０）  前記第１の先端を挿入することは、前記板ばねの第１の円形の先端を前記第１のレバーの円形のスロットに挿入することを更に含み、
前記第２の先端を挿入することは、前記板ばねの第２の円形の先端を前記第２のレバーの円形のスロットに挿入することを更に含む、実施態様１７に記載の方法。
【００８２】
（２１）  前記第１の円形の先端を挿入する前にインサートを前記第１のレバーの前記円形のスロットに挿入することを更に含む、実施態様２０に記載の方法。
（２２）  前記第２のシェルを固定することは、
第１の円筒形ピンを、前記第１のシェル及び前記第２のシェル内に画定された第１の対の穴と、前記第１のレバー内に画定された孔と、に挿通することと、
第２の円筒形ピンを、前記第１のシェル及び前記第２のシェル内に画定された第２の対の穴と、前記第２のレバー内に画定された孔と、に挿通することと、を含む、実施態様１７に記載の方法。
【図１】
2014180564.tif 000003
【図２】
2014180564.tif 000004
【図３】
2014180564.tif 000005
【図４】
2014180564.tif 000006
【図５】
2014180564.tif 000007
【図６】
2014180564.tif 000008
【図７】
2014180564.tif 000009
【図８】
2014180564.tif 000010
【図９】
2014180564.tif 000011
【図１０】
2014180564.tif 000012
【図１１】
2014180564.tif 000013
【図１２】
2014180564.tif 000014
【図１３】
2014180564.tif 000015
【図１４】
2014180564.tif 000016
【図１５】
2014180564.tif 000017
【図１６】
2014180564.tif 000018
【外国語明細書】
2014180564000001.pdf